(57)【特許請求の範囲】
【請求項１】
ヘッドと、その一方の端部において前記ヘッドに取り付けられた細長い可撓性を有するストラップと、前記ヘッドの内部に脱落しないように装着されたロック部材とからなる結束具において、前記ヘッドには、前記結束具の組立時に前記ロック部材を挿入するための開口が形成されており、前記開口が前記ストラップの前記端部によって閉じられていることを特徴とする結束具。
【請求項２】
前記ロック部材が回転可能な球体からなることを特徴とする請求項１記載の結束具。
【請求項３】
前記ロック部材が回転可能なローラからなることを特徴とする請求項１記載の結束具。
【請求項４】
前記ロック部材が前記ヘッドの内部において開放位置とロック位置との間で移動可能であり、前記開口が前記ロック位置付近に配置されていることを特徴とする請求項１乃至３のいずれか記載の結束具。
【請求項５】
前記開口が前記ヘッドの平坦な壁部を貫通して設けられ、その前記開口を閉じるように前記ストラップが前記平坦な壁部の上を延長していることを特徴とする請求項１乃至４のいずれか記載の結束具。
【請求項６】
金属で形成されていることを特徴とする請求項１乃至５のいずれか記載の結束具。
【請求項７】
ヘッドと、前記ヘッドから延長する平らな金属ストラップとからなる結束具において、前記ストラップの一方の端部が前記ヘッド内の通路を通過し、前記ストラップの前記端部のフラップが前記通路の壁部に概ね１８０度折り返されて、概ね並行なアームを有するＵ字形のヘッド係合部を形成し、前記ストラップの前記ヘッド係合部の少なくとも一方の前記アームに、前記壁部の開口を介して他方の前記アームと係合する引掛け部が形成され、かつ、前記ヘッドの内部にロック部材が脱落しないように装着され、前記ロック部材が前記結束具の組立時に前記開口を通して前記ヘッドの中に挿入され、前記開口がその後に、前記ストラップの前記ヘッド係合部により閉じられていることを特徴とする結束具。
【請求項８】
前記ストラップの前記ヘッド係合部の各アームが、反対側の前記アームの引掛け部と係合する引掛け部を備えることを特徴とする請求項７記載の結束具。
【請求項９】
前記引掛け部が、前記結束具の組立以前に前記ストラップをスタンピングすることにより形成されることを特徴とする請求項８記載の結束具。
【発明の詳細な説明】
【産業上の利用分野】
本発明は、ケーブルその他の目的物の周囲にループを形成するための結束具に関し、より詳細には、金属で形成された結束具に関する。
【０００２】
【従来の技術】
ケーブル等の周囲にループを形成するための結束具が良く知られている。このような結束具の１つは、穴を開けたヘッドから延長する細長いストラップ即ちバンドを備える。使用時には、前記結束具は、前記ストラップの自由端を穴開きヘッドの中に通すことによってループを形成することができる。ヘッド内部の可撓性を有するつめが前記ストラップ上のセレーションに係合して、ストラップが緩むことを防止している。
【０００３】
このような結束具の利点は、ワンピース構造のプラスチック成形品として簡単に形成し得ることである。しかしながら、プラスチック製結束具の問題点は、特にプラスチック材料が脆弱になると、負荷により比較的容易に破壊することである。プラスチック製結束具の別の問題点は、例えば温度に極端な高低差が存在するような環境下での使用に適していないことである。
【０００４】
金属で形成された結束具も同様に良く知られている。このような結束具は一般に強固であり、大抵の環境下で使用するのにより適している。金属製結束具の問題点は、ワンピース構造の成形品として形成できないことである。そのため、このような金属製結束具の１つは、穴を開けたヘッドと、該ヘッドに取り付けられた細長い可撓性を有するストラップと、ヘッド内部に脱落しないように装着された固定用の球体であるロックボールとから構成される。使用時には、前記結束具をループの形に形成し、かつストラップの自由端を穴開きヘッドの中に通す。ストラップは一旦締め付けた後に緩めることにより、ヘッドから僅かに引き出されるようにする。この引出し動作によって、ロックボールはロック位置に動き、ヘッドの壁部とストラップとの間に押し込まれた状態になり、それにより前記ストラップをヘッドにしっかりと固定する。
【０００５】
【発明が解決しようとする課題】
国際公開番号８２／０２０３５号公報には、このような金属製結束具が開示されており、ロックボールがヘッド内部に、結束具の組立時にヘッドの開口端壁部から挿入することによって装着されている。次に、ヘッドのタブを折り曲げて前記開口端壁部を閉じ、ボールを脱落しないようにヘッド内部に保持する。この組立作業は困難で長時間を要する。
そこで本願発明者は、上述した問題点を解消することができる結束具を案出した。
【０００６】
【課題を解決するための手段】
本発明によれば、その第１の側面において、ヘッドと、その一方の端部において前記ヘッドに取り付けられた細長い可撓性を有するストラップと、前記ヘッドの内部に脱落しないように装着されたロック部材とからなる結束具において、前記ヘッドには、結束具の組立時に前記ロック部材を挿入するための開口が形成されており、該開口がストラップの前記端部によって閉じられていることを特徴とする結束具が提供される。
【０００７】
前記結束具は、ストラップをヘッドに取り付ける前に、前記ロック部材を前記ヘッドの中に前記開口を介して挿入することにより組み立てられる。
【０００８】
前記ロック部材が回転可能な球体又はローラであると、好都合である。
【０００９】
前記ロック部材が前記ヘッドの内部において開放位置とロック位置との間で移動可能であり、前記開口が前記ロック位置付近に配置されていると、好都合である。
【００１０】
前記開口が前記ヘッドの平坦な壁部を貫通して設けられ、その開口を閉じるように前記ストラップが前記平坦な壁部の上を延長していると、好都合である。
【００１１】
前記結束具が金属で形成されていると、好都合である。
【００１２】
公知の金属製結束具のストラップは、通常結束具の組立時に、前記ストラップの一方の端部のフラップをヘッドの一部分の上に折り曲げることにより、前記ヘッドに取り付けられる。前記フラップ上に引掛け部を設けてヘッドと係合させ、折り曲げられた前記フラップがストラップに負荷がかかった時に開くのを防止することができる。しかしながら、前記引掛け部の係合が解除された状態になり、それによって前記ストラップがヘッドから外れた状態になるのは、比較的容易である。
【００１３】
そこで本発明によれば、その第２の側面において、ヘッドと、前記ヘッドから延長する平らな金属ストラップとからなる結束具において、前記ストラップの一方の端部が前記ヘッド内の通路を通過し、前記ストラップの前記端部のフラップが前記通路の壁部に概ね１８０度折り返されて、概ね並行なアームを有するＵ字形のヘッド係合部を形成し、前記ストラップの前記ヘッド係合部の少なくとも一方の前記アームに、前記壁部の開口を介して他方の前記アームと係合する、例えば釣鉤の所謂「あご」状の突起（barb）からなる引掛け部が形成されていることを特徴とする結束具が提供される。
【００１４】
前記ヘッドの通路の前記壁部の周囲にループの形をなす前記ストラップのヘッド係合部が、前記引掛け部により確実に固定されることは、容易に理解される。
【００１５】
前記ストラップの前記ヘッド係合部の各アームが、反対側の前記アームの引掛け部と係合する引掛け部を備えると、好都合である。
【００１６】
前記引掛け部が、前記結束具の組立以前に前記ストラップをスタンピングすることにより形成されると、好都合である。
【００１７】
前記ヘッドの内部にロック部材が脱落しないように装着され、前記ロック部材が前記結束具の組立時に前記開口を通して前記ヘッドの中に挿入され、前記開口がその後に、前記ストラップの前記ヘッド係合部により閉じられていると好都合である。
【００１８】
【発明の実施の形態】
以下に本発明を、添付図面を参照しつつその好適な実施例を用いて詳細に説明する。
添付図面には、ステンレス鋼で形成され、かつヘッド１０と、該ヘッドに取り付けられた細長い可撓性を有するストラップ即ちバンド１１と、前記ヘッド内部に脱落しないように装着された固定用の球体即ちロックボール１２とからなる３ピース構造の結束具が示されている。
【００１９】
ヘッド１０は、傾斜した上壁部１３と、平坦な底壁部１４と、対向する側壁部１５、１５と、後方の端壁部１６とを備え、これらの壁部によって前記ヘッド内部に細長い内部空室１７が画定されている。上壁部１３及び底壁部１４は、ヘッド１０の前端部に向けて接近するように設けられている。前記ヘッドは、好適には、予め所定形状に成形された金属シートをスタンピングにより加工して、前記ヘッドの上壁部１３、側壁部１５及び後方端壁部１６を画定する凹みを形成することによって形成される。次に、前記ヘッドの底壁部１４が、両側壁部１５、１５の各長手方向の下端から延長する２つのタブを内向きに折り曲げることによって形成される。
【００２０】
２つの半円形の部分を前記両タブの対向する各辺縁部分からそれぞれ切除することにより、前記結束部の後部付近で空室１７に連通する開口が、底壁部１４に形成されている。
【００２１】
ヘッド１０の中をその前方から後方に向けて延長し、かつ空室１７の中を通過する細長いストラップ受入通路２１が設けられている。
【００２２】
ストラップ１１は、該ストラップの端部付近にその一方の面から外向きに突出する２個の引掛け部２２、２３をスタンピングにより形成した細長い平らな金属ストリップからなる。例えば釣鉤の所謂「あご」状の突起（barb）からなる引掛け部２２、２３は、ストラップ１１の中心に沿って延長する長手方向の線上に配置されている。引掛け部２２、２３は、それぞれストラップ１１の反対側の端部に向けて設けられる。前記ストラップは、該ストラップを２個の引掛け部２２、２３の中間位置でその軸線と直交する向きに折り曲げることにより形成されるＵ字形のヘッド係合部２４を備える。前記ストラップは、引掛け部２２、２３を互いの向きに突出させるが係合しないように、約１２０度まで折り曲げられる。
【００２３】
前記結束具を組み立てるために、ロックボール１２を空室１７内に、底壁部１４の前記開口を介して挿入する。次に、ストラップ１１を通路２１の中に、該ストラップのＵ字形ヘッド係合部２４が前記結束具の底壁部１４の上に係合するまで、前方から後方に向けて送る。次に、前記ストラップのヘッド係合部２４の突出する前記アームを、前記ヘッドの底壁部１４に沿うように更に６０度位折り曲げる。これにより、２つの引掛け部２２、２３を開口１９を介して相互に係合させる。
【００２４】
ストラップ１１が、前記ヘッドの底壁部の一部分の周囲にループの形にしっかりと固定され、それにより前記ヘッドがストラップから容易に外れない状態になることが理解される。
【００２５】
また、ストラップ１１が前記ヘッドの開口１９を閉じることにより、ロックボール１２が空室１７内に脱落しないように保持される。
【００２６】
使用時には、前記ストラップの自由端を、ケーブルの束又は固定しようとする他の目的物の周囲に回した後、前記ヘッドの前部から前記ストラップ受入通路の中に挿入する。ストラップ１１は、ロックボール１２と空室１７の底面との間を通過させる。前記ストラップを挿入する間、前記ロックボールは空室１７の後部に向けて押されているので、前記ストラップは支障無く前記ヘッドの中に引き込むことができる。
【００２７】
ストラップ１１は、十分に締め付けた後に、ヘッド１０から僅かに引き出すことができるように緩める。これにより、ロックボール１２は、その空室１７の後部の開放位置Ｕから前記空室の前部に向けてロック位置Ｌに移動する。ボール１２は、そのロック位置Ｌにおいて、ストラップ１１と前記ヘッドの上壁部１３との間に押し込まれる。このようにボール１２が前記ストラップに係合し、該ストラップが前記ヘッドから係合解除するのを防止する。
【００２８】
【発明の効果】
上述したように、本発明によれば、強固で様々な環境下で使用するのに適した金属製結束具を簡単にかつ短時間で組み立てることができ、作業能率の向上が図られる。
【図面の簡単な説明】
【図１】本発明による金属製結束具を部分的に断面示した部分平面図である。
【図２】結束具を締め付けた状態での図１のII−II線における断面図である。
【図３】結束具を締め付けた状態での図１のIII−III線における断面図である。
【符号の説明】
１０  ヘッド
１１  ストラップ
１２  ロックボール
１３  上壁部
１４  底壁部
１５  側壁部
１６  後方端壁部
１７  空室
２１  通路
２２、２３  引掛け部
２４  ヘッド係合部
【図１】
0003882063.tif 000002
【図２】
0003882063.tif 000003
【図３】
0003882063.tif 000004